Podtech/llm-jp-corpus-v4-ja_patent huggingface dataset:
(57)【要約】      （修正有）【課題】金属に変わり、熱膨張による減衰力の低下を緩和出来るセラミックバルブを使用したショックアブソーバーを提供する。【解決手段】物体に固着される固着具が一端部に装着されたメインシャフト０２に設けられたバルブ１０と、その両端に固着される複数の金属板からなる縮み側シム０６と複数の金属板からなる伸び側シム０８がロックナット１２により装着され、他物体に固着されるシリンダー０４に内装されたセラミックバルブショックアブソーバー１００において、シリンダー０４内にはオイルが充填されており、バルブ１０内をオイルが通過する時に縮む方向に力が加わった場合に複数の金属板からなる縮み側シム０６が開き、オイルに押され複数の金属板からなる縮み側シム０６が開きオイルが通過する。伸びる方向に力が加わった場合に複数の金属板からなる伸び側シム０８が開きオイルに押され複数の金属板からなる伸び側シム０８が開きオイルが通過する。【選択図】図１
0003113299.tif 000002
【実用新案登録請求の範囲】
【請求項１】
バルブ１０の素材にセラミックを用いることにより熱膨張を緩和し、減衰力の低下を緩和することが出来るセラミックバルブショックアブソーバー１００。
【考案の詳細な説明】
【考案の詳細な説明】
【産業上の利用分野】
【０００１】本考案はセラミックバルブショックアブソーバーに関し、更に詳細には、物体に固着される固着具が一端部に装着されたメインシャフト０２と、前記メインシャフト０２に設けられたバルブ１０とその両端に固着される複数の金属板からなる縮み側シム０６と複数の金属板からなる伸び側シム０８が装着され、他物体に固着されるシリンダー０４に内装されたセラミックバルブショックアブソーバー１００に関する。
【背景技術】
【０００２】ショックアブソーバー内装されるバルブには金属製のものが用いられている。
【考案が解決しょうとする課題】
【０００３】ショックアブソーバーはオイルを充填したシリンダー内部でバルブに設けられたオリフィスと呼ばれる隙間をオイルが通ることにより抵抗を出し衝撃を吸収している。この時の抵抗力に伴い、熱が発生し、オリフィスが拡大し減衰力の低下につながる。このバルブの素材をセラミックに変更することにより発熱による減衰力の低下を緩和することの出来るセラミックバルブショックアブソーバーの提供する事に有る。
【考案を実施するための最良の形態】
【０００４】本考案者は前記課題を解決すべく検討を重ねた結果、図２、図３において、オリフィスにオイルが通過する際に起こる発熱による減衰力の低下をセラミックバルブにする事により緩和することが出来る事を見出し、本考案に到達した。
【考案の効果】
【０００５】本考案によれば、減衰力の低下を緩和することが出来る。
【図面の簡単な説明】
【図１】本考案の一例を示す正面図である。
【図２】図１に示すセラミックバルブショックアブソーバーの動さに対するオイルの流れを説明する説明図である。
【図３】バルブとシムの動きを説明する説明図である。
【符号の説明】
０２  メインシャフト
０４  シリンダー
０６  複数の金属板からなる縮み側シム
０８  複数の金属板からなる伸び側シム
１０  バルブ
１２  ロックナット
【図１】
0003113299.tif 000003
【図２】
0003113299.tif 000004
【図３】
0003113299.tif 000005
【手続補正書】
【提出日】平成16年10月1日(2004.10.1)
【手続補正２】
【補正対象書類名】実用新案登録請求の範囲
【補正対象項目名】全文
【補正方法】変更
【補正の内容】
【実用新案登録請求の範囲】
【請求項１】
バルブ１０の素材にセラミックを用いることにより熱膨張を緩和し、減衰力の低下を緩和することが出来るセラミックバルブショックアブソーバー１００。
【手続補正書】
【提出日】平成17年1月24日(2005.1.24)
【手続補正１】
【補正対象書類名】実用新案登録請求の範囲
【補正対象項目名】全文
【補正方法】変更
【補正の内容】
【実用新案登録請求の範囲】
【請求項１】
バルブの素材にセラミックを用いテフロンを重着もしくは周着するセラミックバルブショックアブソーバー。
【手続補正書】
【提出日】平成17年5月12日(2005.5.12)
【手続補正１】
【補正対象書類名】実用新案登録請求の範囲
【補正対象項目名】全文
【補正方法】変更
【補正の内容】
【実用新案登録請求の範囲】
【請求項１】
バルブの素材にセラミックを用いフッ素樹脂を重着もしくは周着するセラミックバルブショックアブソーバー。
(57)【要約】 【課題】  保管・収納に場所を取らない使い勝手の良い電子レンジ用容器カバーを提供する。【解決手段】  容器内の食品を電子レンジで加熱する際に使用する容器カバー１であって、周部１ｂに縦置用の脚部５、５を設けて起立可能とした。また、容器カバー１の形状を切頭円錐筒状（屋根形）とし、容器カバー１を伏せた状態で何段にも積み重ね可能とした。【選択図】    図１
0003113271.tif 000002
【実用新案登録請求の範囲】
【請求項１】
容器内の食品を電子レンジで加熱する際に使用する容器カバーであって、
周部に縦置用の脚部を設けたことを特徴とする容器カバー。
【請求項２】
頂天部に把手部を設けると共に、開口周縁に前記容器の開口縁部に被装される鍔部を設けたことを特徴とする請求項１に記載の容器カバー。
【請求項３】
切頭円錐筒状として積み重ね可能としたことを特徴とする請求項１または請求項２の何れかに記載の容器カバー。
【考案の詳細な説明】
【技術分野】
【０００１】
本考案は、容器内の食品を電子レンジで加熱する際に使用する容器カバーに関するものである。
【背景技術】
【０００２】
従来より、電子レンジで食品類を加熱（調理）する場合、容器内を程良い状態に保湿するため、食品類を入れた容器を上からラップ材にて蓋をする方法が行われていたが、この方法は、ラップ作業が面倒で、且つ、調理後はラップ材が熱くなっており、容器から取り去るのが大変であること（不用意にラップ材を取り外すと、ラップ材の熱で火傷する虞もある）、また、その調理毎のラップ材の使い捨ては不経済であること等の理由から、このラップ材による施蓋に代わるものとして、ドーム型、屋根形等の耐熱性プラスチックカバー（容器カバー）が多く使用されている。
【考案の開示】
【考案が解決しようとする課題】
【０００３】
ところが、上述の容器カバーは、様々な形状・サイズの容器に使用できるよう、主として大型サイズにできているため、使用しない時の収納・保管に場所を取るといった欠点があった。
【０００４】
本考案は、上記した問題点に鑑み成されたもので、使用後の保管・収納に場所を取らない使い勝手の良い電子レンジ用容器カバーを提供することを目的としている。
【課題を解決するための手段】
【０００５】
すなわち、請求項１に記載の考案は、容器内の食品を電子レンジで加熱する際に使用する容器カバーであって、周部に縦置用の脚部を設けたことを特徴としている。
【０００６】
また、請求項２に記載の考案は、請求項１に記載の容器カバーにおいて、頂天部に把手部を設けると共に、開口周縁に前記容器の開口縁部に被装される鍔部を設けたことを特徴としている。
【０００７】
また、請求項３に記載の考案は、請求項１または請求項２の何れかに記載の容器カバーにおいて、切頭円錐筒状として積み重ね可能としたことを特徴としている。
【考案の効果】
【０００８】
請求項１に記載の本考案によれば、使用しない時は縦置きにして収納・保管できるため場所を取らない。加えて、縦置きにしておくと、内壁に付着した水滴の乾燥も速くなる。
また、請求項２に記載の本考案によれば、把持部により容器への着脱は容易であり、且つ、調理後も熱くならないため安全である。また、容器に蓋をすると、鍔部が容器の開口縁部に被装されるから、施蓋時の安定性が良い。
また、請求項３に記載の本考案によれば、積み重ね可能であるから、狭いスペースにも多量に重ね置きできる。
【考案を実施するための最良の形態】
【０００９】
以下、図面に基づいて本考案の一実施形態を説明する。
図１は本実施形態に係る電子レンジ用容器カバーの外観斜視を示し、図２は同、電子レンジ用容器カバーの積み重ね状態を示し、図３は同、電子レンジ用容器カバーの使用状態を示す。
【００１０】
図１に示すように、本実施形態の電子レンジ用容器カバー１（以下、単に容器カバー１言う）は、例えば、ポリプロピレン樹脂等のような耐熱性樹脂材を用いて切頭円錐筒状（屋根形）に成型加工した半透明の蓋体である。
この容器カバー１の頂天部１ａの中央部分をドーナツ状に陥没させて、その中心部に適当なサイズの摘み２を設けると共に、容器カバー１の開口周縁に容器１０の開口縁部に被装される所定幅の鍔部３を設け、更に、この鍔部３の縁部を逆Ｌ字形に屈設して係止部４を形成している。
【００１１】
ところで、この容器カバー１は、上記構成に加え、カバー周部１ｂの適所に一対の脚部５、５を設けて縦置きを可能としている。これらの脚部５、５は、容器カバー１成型時にカバー周部１ｂの所定の２箇所をそれぞれ径方向に蒲鉾形に膨出させて形成したものである。
【００１２】
上記構成の容器カバー１は、カバー周部１ｂに縦置きを可能とする一対の脚部５、５を有するから、容器カバー１を使用しない時は、図１に示すように、食器棚等に起立状態にして置いておけば、容器カバー１が比較的大型サイズであっても場所を取らずに保管・収納することができ、邪魔にはならない。
加えて、容器カバーを縦置きにしておけば、調理後や清掃の際にカバー内壁に付着した水滴が壁を伝って落ちると共に、カバー内部全体が外気に直接触れるので乾燥し易くなる。
【００１３】
また、容器カバー１の形状が切頭円錐筒状（屋根形）であるから、図２に示すように、容器カバー１を伏せた状態で幾段にも積み重ねが可能であり、例えば、製品の出荷時や店頭での陳列時等、狭いスペースにおいて多量に重ね置きしておくことができ、場所を取らず極めて都合が良い。
【００１４】
加えて、図３に示すように、容器１０内の食品を電子レンジで調理（加熱）する際の容器カバー１の着脱は、カバー頂天部１ａに摘み２を設けてあるので、従来のラップ材に比べて極めて容易であり、特に、調理後の蓋の取り外しは、ラップ材のように熱くならないから、火傷の心配もなく安全である。
また、容器１０に蓋をする際、容器カバー１の鍔部３が容器の開口縁部に被装されると共に、係止部４が容器カバー１の横揺れを規制するから、蓋をした後の安定性が良い。
尚、図３では、容器カバー１が容器１０の開口縁部に被装されるような場合を示したが、使用する容器１０のサイズによっては、容器１０が容器カバー１内にすっぽり収まる場合も勿論あり得るものであって、容器カバー１の鍔部３により、施蓋時の安定性は確保されている。
【図面の簡単な説明】
【００１５】
【図１】本考案に係る電子レンジ用容器カバーの外観斜視図。
【図２】同、電子レンジ用容器カバーの積み重ね状態を示す断面図。
【図３】同、電子レンジ用容器カバーの使用状態を示す断面図。
【符号の説明】
【００１６】
１  容器カバー
１ａ  頂天部
１ｂ  周部
２  把手部（摘み）
３  鍔部
５  脚部
１０  容器
【図１】
0003113271.tif 000003
【図２】
0003113271.tif 000004
【図３】
0003113271.tif 000005
(57)【要約】      （修正有）【課題】刃が髭を捉えて最小限の抵抗でスムーズに髭を剃り落とし、肌にもダメージなく優しく髭剃りができる安全かみそりを提供する。【解決手段】複数枚の刃に傾斜角をつけ配列する。【選択図】図１
0003113274.tif 000002
【実用新案登録請求の範囲】
【請求項１】
刃をかみそりの剃る方向に対し傾斜角をつけ、刃の枚数が複数枚である安全かみそり。
【請求項２】
刃は替刃か、又は固定刃であり請求項１記載の安全かみそり。
【考案の詳細な説明】
【技術分野】
【０００１】
本考案は複数枚の刃を備えた安全かみそりに関するものである。
【背景技術】
【０００２】
従来の安全かみそりは図３に示すように複数の刃を平行に備え、柄に垂直に押し下げることで髭を剃るものであった。
【０００３】
このような従来の方式では、剃り面に対し抵抗が大きく、肌に傷をつける恐れがあるという問題があった。
【考案の開示】
【考案が解決しようとする課題】
【０００４】
本考案が解決しようとする課題は、刃に対する負担が少なくスムーズに髭を剃る事ができる安全かみそりを提供することである。
【課題を解決するための手段】
【０００５】
本考案は柄の押し下げ方向に対して斜めに刃を配列し、刃の枚数を複数枚にすることで上記課題を解決した。傾斜の向きは左右どちらでもよい。
【考案の効果】
【０００６】
本考案は傾斜角のついた複数枚の刃を柄の方へ押し下げた時、刃が髭に斜めに接するため、刃に対する負担が少なく肌に対してスムーズに髭剃りが出来る。
【考案を実施するための最良の形態】
【０００７】
以下、実施例によって説明する。
【実施例】
【０００８】
１はかみそり本体、２は斜めに配列した複数枚刃、３は握り柄であり、握り柄を持ち垂直に下げ髭を剃る。
【０００９】
図２は図１に示す刃の１枚が髭に接触して切断する時の図であり、４はその傾斜角で、刃が斜めに切り込みスムーズに剃り、皮膚を傷めることなく髭剃りができる。傾斜角は任意の角度でもよいが３０°〜４５°が理想の角度である。
【００１０】
図４は刃の配列を左右対称にしたもので効果は同じであり、利き手によって使い分けることができる。
【図面の簡単な説明】
【００１１】
【図１】本考案の正面図である。
【図２】刃が髭に接触する時の図である。
【図３】従来の安全かみそりの図である。
【図４】左右対称の図である。
【符号の説明】
【００１２】
１    かみそり本体
２    かみそりの刃
３    握り柄
４    刃の傾斜角
５    髭
６    かみそりの刃
７    従来のかみそり本体
８    従来のかみそりの刃
９    従来の握り柄
１０  左右対称の刃の配列
【図１】
0003113274.tif 000003
【図２】
0003113274.tif 000004
【図３】
0003113274.tif 000005
【図４】
0003113274.tif 000006
(57)【要約】【課題】  この考案の課題は、外付けストロボ本体の筐体とカメラ筐体とを側部で簡単な構造でワンタッチで容易に且つ確実に一体的に取り付けでき、カメラ撮影が片手で困難なく実現できるストロボのカメラ取り付け構造を提供するものである。【解決手段】  筐体内部に電源機能、コントロール機能、発光部を含む発光機能等及びその他を含みストロボとして必要な機能を内蔵したストロボ本体と、該ストロボ本体の側縁に一体で設けられた長尺弧状ガイドと、該長尺弧状ガイドに対応する位置のカメラ筐体の側壁に設けられた凹溝とからなるストロボのカメラ取り付け構造。【選択図】  図１
0003113213.tif 000002
【実用新案登録請求の範囲】
【請求項１】
筐体内部に電源機能、コントロール機能、発光部を含む発光機能等及びその他を含みストロボとして必要な機能を内蔵したストロボ本体と、該ストロボ本体の側縁に一体で設けられた長尺弧状ガイドと、該長尺弧状ガイドに対応する位置のカメラ筐体の側壁に設けられた凹溝とからなるストロボのカメラ取り付け構造。
【請求項２】
前記長尺弧状ガイドは所定の間隔で配置されやや弾力を有してなる請求項第１項記載のストロボのカメラ取り付け構造。
【請求項３】
筐体内部に電源機能、コントロール機能、発光部を含む発光機能等及びその他を含みストロボとして必要な機能を内蔵したストロボ本体と、該ストロボ本体の側縁に一体で設けられた長尺コ字型ガイドと、該長尺コ字型ガイドに対応する位置のカメラ筐体の側壁に設けられた凹溝とからなるストロボのカメラ取り付け構造。
【請求項４】
前記凹溝は円弧又は角溝でなる請求項第１、第３項記載のストロボのカメラ取り付け構造。
【考案の詳細な説明】
【技術分野】
【０００１】
この考案はカメラ筐体とストロボ本体の筐体とを利用して両者を側部でワンタッチで簡便に且つ確実に取り付け固定ができるストロボのカメラ取り付け構造に関する。
【背景技術】
【０００２】
従来、所謂外付けのストロボもいろいろの形状が考察されユーザの購買意欲を高めようとしているが、カメラとストロボは別々に構成されているので両者を両手で持たなければならない。そうするとカメラ操作が悪くなり十分にカメラ撮影ができず満足な写真も撮れない状態にあった。そこで簡便にストロボ本体とカメラ筐体とを一体化できしかも確実な取り付け状態を維持できるストロボのカメラ取り付け構造が望まれている。
【特許文献１】実願平１−１４４８４号公報
【考案の開示】
【考案が解決しようとする課題】
【０００３】
従って、この考案の課題は、外付けストロボ本体の筐体とカメラ筐体とを側部で簡単な構造でワンタッチで容易に且つ確実に一体的に取り付けでき、カメラ撮影が片手で困難なく実現できるストロボのカメラ取り付け構造を提供するものである。
【課題を解決するための手段】
【０００４】
上記の課題を解決するために、筐体内部に電源機能、コントロール機能、発光部を含む発光機能等及びその他を含みストロボとして必要な機能を内蔵したストロボ本体と、該ストロボ本体の側縁に一体で設けられた長尺弧状ガイドと、該長尺弧状ガイドに対応する位置のカメラ筐体の側壁に設けられた凹溝とからなるストロボのカメラ取り付け構造である。
【考案の効果】
【０００５】
請求項１では長尺弧状ガイドと凹溝とが上方から挿入出来るからワンタッチで容易に確実に固定でき、しかもストロボ本体及びカメラを操作する際、片手が自由になり撮影が容易になる効果がある。
請求項２では長尺弧状ガイドが弾力性があるので取り付け取り外しが容易であって、固定も確実である。
請求項３では長尺コ字型であるから加工が容易である。
請求項４では凹溝は円弧、角溝を選択でき便利である。
【考案を実施するための最良の形態】
【０００６】
（実施形態１）
以下、この考案の実施例を添付図面、図１、図２に基づいて説明する。
図１の１はプラスチック製のストロボ本体で、このストロボ本体１は内部にストロボ機能が内蔵されている。図１及び図２ではストロボの発光部の背部から示している。前記ストロボ本体１の側縁には弾力性がある長尺弧状ガイド２が図のようにストロボ本体１と一体的に取り付けてある。この長尺弧状ガイド２は一定の幅と長さを有している。
【０００７】
３はカメラ筐体で、このカメラ筐体３の側部には前記長尺弧状ガイド２が挿入される凹溝４が配置されている。この凹溝４は断面円弧状で前記長尺弧状ガイド２が雌雄構造で合致出来るように選択した形状にしてある。つまり長尺弧状ガイド２の左右で丁度凹溝４を抱きかかえる構造を採用したものである。図２はストロボ本体１をカメラ筐体３に取り付けた状態で此を背部から看た図である。
【０００８】
次に、前記ストロボ本体１をカメラ筐体３に取り付ける場合、矢視Aのようにストロボ本体１を上方からカメラ筐体３の凹溝４に長尺弧状ガイド２を挿入する。この場合長尺弧状ガイド２は凹溝４に強制的に押し込まないと挿入出来ない位置関係にしているから、一層押し下げると強固に長尺弧状ガイド２が凹溝４に挿入されワンタッチでストロボ本体１をカメラ筐体３に取り付け固定できる。
【０００９】
前記カメラ筐体３からストロボ本体１を取り外す場合は前記と逆の方向にストロボ本体１を引き抜けば簡単に取り外しができる。
【図面の簡単な説明】
【００１０】
【図１】この考案に係わるストロボ本体とカメラ筐体との組み合わせ斜視図。（実施形態１）
【図２】図１のストロボ本体とカメラ本体とを組み合わせ、背部から観た図。
【符号の説明】
【００１１】
１  ストロボ本体
２  長尺弧状ガイド
３  カメラ筐体
４  凹溝
【図１】
0003113213.tif 000003
【図２】
0003113213.tif 000004
(57)【要約】【課題】  この考案の課題は、外付けストロボ本体の筐体とカメラ筐体とを側部でワンタッチで容易に且つ確実に一体的に取り付けでき、カメラ撮影が片手で困難なく実現できるストロボのカメラ取り付け構造を提供するものである。【解決手段】  筐体内部に電源機能、コントロール機能、発光部を含む発光機能等及びその他を含みストロボとして必要な機能を内蔵したストロボ本体と、該ストロボ本体の側部に設けられたフック板と、該フック板に対応する位置のカメラ筐体の側壁に設けられたガイドレールとからなるストロボのカメラ取り付け構造。【選択図】  図１
0003113212.tif 000002
【実用新案登録請求の範囲】
【請求項１】
筐体内部に電源機能、コントロール機能、発光部を含む発光機能等及びその他を含みストロボとして必要な機能を内蔵したストロボ本体と、該ストロボ本体の側部に設けられたフック板と、該フック板に対応する位置のカメラ筐体の側壁に設けられたガイドレールとからなるストロボのカメラ取り付け構造。
【請求項２】
前記フック板は弾力性を有する部材でなる請求項第１項記載のストロボのカメラ取り付け構造。
【請求項３】
前記ガイドレールはL字型の部材を対向して配置してなる請求項第１項記載のストロボのカメラ取り付け構造。
【請求項４】
前記前記フック板は前記ガイドレールの上方から挿入する構造でなる請求項第１項記載のストロボのカメラ取り付け構造。
【考案の詳細な説明】
【技術分野】
【０００１】
この考案はカメラ筐体とストロボ本体の筐体とを利用して両者を側部でワンタッチで簡便に且つ確実に取り付け固定ができるストロボのカメラ取り付け構造に関する。
【背景技術】
【０００２】
従来、所謂外付けのストロボもいろいろの形状が考察されユーザの購買意欲を高めようとしているが、カメラとストロボは別々に構成されているので両者を両手で持たなければならない。そうするとカメラ操作が悪くなり十分にカメラ撮影ができず満足な写真も撮れない状態にあった。そこで簡便にストロボ本体とカメラ筐体とを一体化できしかも確実な取り付け状態を維持できるストロボのカメラ取り付け構造が望まれている。
【特許文献１】実願平１−１４４８４号公報
【考案の開示】
【考案が解決しようとする課題】
【０００３】
従って、この考案の課題は、外付けストロボ本体の筐体とカメラ筐体とを側部でワンタッチで容易に且つ確実に一体的に取り付けでき、カメラ撮影が片手で困難なく実現できるストロボのカメラ取り付け構造を提供するものである。
【課題を解決するための手段】
【０００４】
上記の課題を解決するために、筐体内部に電源機能、コントロール機能、発光部を含む発光機能等及びその他を含みストロボとして必要な機能を内蔵したストロボ本体と、該ストロボ本体の側部に設けられたフック板と、該フック板に対応する位置のカメラ筐体の側壁に設けられたガイドレールとからなることによって片手で容易に写真撮影ができるストロボのカメラ取り付け構造が提供できる。
【考案の効果】
【０００５】
請求項１ではフック板とガイドレールとが上下で挿入出来るからワンタッチで容易に確実に固定でき、しかもストロボ本体及びカメラを操作する際、片手が自由になり撮影が容易になる効果がある。
請求項２ではフック板が弾力性があるので取り付け取り外しが容易であって、固定も確実である。
請求項３ではガイドレールはL字型を対向配置したからこの分軽量である。
請求項４では上方から挿入固定するからカメラの操作部材に邪魔になることはない。
【考案を実施するための最良の形態】
【０００６】
（実施形態１）
以下、この考案の実施例を添付図面、図１、図２に基づいて説明する。
図１の１はプラスチック製のストロボ本体で、このストロボ本体１は内部にストロボ機能が内蔵されている。図１及び図２ではストロボの発光部の背部から示している。前記ストロボ本体１の側部には弾力性があるフック板２が図のように取り付けてある。このフック板２は一定の幅と長さを有していてストロボ本体１の側壁と一定の間隔を有している。
【０００７】
３はカメラ筐体で、このカメラ筐体５の側部には前記ストロボ本体１のフック板２が挿入されるガイドレール４が配置されている。このガイドレール４はL字型の長尺部材を互いに前記フック板２が挿入出来る間隔で対向配置したもので、特にフック板２が強制的に二本のガイドレール４の間に挿入できるものである。図２はストロボ本体１をカメラ筐体３に取り付けた状態で此を背部から看た図である。
【０００８】
次に、前記ストロボ本体１をカメラ筐体３に取り付ける場合、矢視Aのようにストロボ本体１を上方からカメラ筐体３のガイドレール４にフック板２を挿入する。この場合フック板２はガイドレール４に強制的に押し込まないと挿入出来ない位置関係にしているから一層押し下げるとフック板２がガイドレール４に挿入されワンタッチでストロボ本体１をカメラ筐体３に取り付け固定できる。
【０００９】
前記カメラ筐体３からストロボ本体１を取り外す場合は前記と逆の方向にストロボ本体１を引き抜けば簡単に取り外しができる。
【図面の簡単な説明】
【００１０】
【図１】この考案に係わるストロボ本体とカメラ筐体との組み合わせ斜視図。（実施形態１）
【図２】図１のストロボ本体とカメラ本体とを組み合わせ、背部から観た図。
【符号の説明】
【００１１】
１  ストロボ本体
２  フック板
３  カメラ筐体
４  ガイドレール
【図１】
0003113212.tif 000003
【図２】
0003113212.tif 000004
(57)【要約】【課題】  この考案の課題は、外付けストロボ本体の筐体とカメラ筐体とを容易に且つ確実に一体的に取り付けでき、カメラ撮影が片手で困難なく実現できるストロボのカメラ取り付け構造を提供するものである。【解決手段】  筐体内部に電源機能、コントロール機能、発光部を含む発光機能等及びその他を含みストロボとして必要な機能を内蔵したストロボ本体と、該ストロボ本体の側部に設けられたネジと、該ネジにねじ込まれた平板ナットと、該平板ナット位置から離れて設けられた突起と、該突起に対応する位置のカメラ筐体の側壁に設けられた凹部と、前記ネジがねじ込まれ前記カメラの対応位置に形成されたカメラ側ネジとからなることによって片手で容易に写真撮影ができるストロボのカメラ取り付け構造が提供できる。【選択図】  図１
0003113214.tif 000002
【実用新案登録請求の範囲】
【請求項１】
筐体内部に電源機能、コントロール機能、発光部を含む発光機能等及びその他を含みストロボとして必要な機能を内蔵したストロボ本体と、該ストロボ本体の側部に設けられたネジと、該ネジにねじ込まれた平板ナットと、該平板ナット位置から離れて設けられた突起と、該突起に対応する位置のカメラ筐体の側壁に設けられた凹部と、前記ネジがねじ込まれ前記カメラの対応位置に形成されたカメラ側ネジとからなるストロボのカメラ取り付け構造。
【請求項２】
前記突起は少なくとも２個設けてなる請求項第１項記載のストロボのカメラ取り付け構造。
【請求項３】
前記平板ナットは円形平板なプラスチック製で周辺にギザギザを形成してなる請求項第１項記載のストロボのカメラ取り付け構造。
【請求項４】
前記ストロボ本体とカメラ筐体とは互いに側部で３点で支持してなる請求項第１項記載のストロボのカメラ取り付け構造。
【考案の詳細な説明】
【技術分野】
【０００１】
この考案はカメラ筐体とストロボ本体の筐体とを利用して両者を簡便に且つ確実に取り付け固定ができるストロボのカメラ取り付け構造に関する。
【背景技術】
【０００２】
従来、所謂外付けのストロボもいろいろの形状が考察されユーザの購買意欲を高めようとしているが、カメラとストロボは別々に構成されているので両者を両手で持たなければならない。そうするとカメラ操作が悪くなり十分にカメラ撮影ができず満足な写真も撮れない状態にあった。そこで簡便にストロボ本体とカメラ筐体とを一体化できしかも確実な取り付け状態を維持できるストロボのカメラ取り付け構造が望まれている。
【特許文献１】実願平１−１４４８４号公報
【考案の開示】
【考案が解決しようとする課題】
【０００３】
従って、この考案の課題は、外付けストロボ本体の筐体とカメラ筐体とを容易に且つ確実に一体的に取り付けでき、カメラ撮影が片手で困難なく実現できるストロボのカメラ取り付け構造を提供するものである。
【課題を解決するための手段】
【０００４】
上記の課題を解決するために、筐体内部に電源機能、コントロール機能、発光部を含む発光機能等及びその他を含みストロボとして必要な機能を内蔵したストロボ本体と、該ストロボ本体の側部に設けられたネジと、該ネジにねじ込まれた平板ナットと、該平板ナット位置から離れて設けられた突起と、該突起に対応する位置のカメラ筐体の側壁に設けられた凹部と、前記ネジがねじ込まれ前記カメラの対応位置に形成されたカメラ側ネジとからなることによって片手で容易に写真撮影ができるストロボのカメラ取り付け構造が提供できる。
【考案の効果】
【０００５】
請求項１ではストロボ本体のネジをカメラ筐体のネジにねじ込みその後平板ナットをギザギザに指を当てて回転してしめることで確実にストロボ本体を簡単に容易に固定できるからストロボ本体及びカメラを操作する際、片手が自由になり撮影が容易になる効果がある。
請求項２では突起を少なくても二個用意してあるから左右上下の振動にもストロボ本体がカメラ筐体に対してフリーの状態なることはない。
請求項３の平板ナットは周辺をギザギザにしてあるから確実に締め付けることができる。
請求項４では三点でストロボ本体とカメラ筐体が結合されるから何らかの振動に対しても両者は確実に取り付け状態を維持できる。
【考案を実施するための最良の形態】
【０００６】
（実施形態１）
以下、この考案の実施例を添付図面、図１、図２に基づいて説明する。
図１の１はプラスチック製のストロボ本体で、このストロボ本体１は内部にストロボ機能が内蔵されている。図１及び図２ではストロボの発光部の背部から示している。前記ストロボ本体１の側部には上方にネジ２が取り付けてあって、このネジ２には平板ナット３がねじ込まれている。前記ネジ２を頂点にして三角形の各角に該当する箇所に突起４を設けている。  
【０００７】
５はカメラ筐体で、このカメラ筐体５の側部には前記ストロボ本体１のネジ２がねじ込まれるカメラ側ネジ６が形成してある。又、前記カメラ筐体５の側部には突起４に対応して凹部７が形成してある。そして、ネジ２、突起４とカメラ筐体５の凹部７、カメラ側ネジ６とで三角形を形成している。図２はストロボ本体１をカメラ筐体５に取り付けた状態で此を背部から看た図である。
【０００８】
次に、前記ストロボ本体１をカメラ筐体５に取り付ける場合、前記ネジ２をカメラ側ネジ６に矢視A方向にストロボ本体１を回転させてネジ込む。ネジ２が一定量、カメラ側ネジ６にネジ込まれてから前記ネジ２を矢視B方向にギザギザ部分を指先で回すと、一層ストロボ本体１とカメラ筐体５とが緊密に固定される。此によって撮影者は片手で撮影ができるようになる。
【０００９】
この場合、ネジ２をカメラ側ネジ６にねじ込む際、前記突起４の各々を凹部７のそれぞれに対応して差し込む。この差し込み量はネジ２がしめられると一層多くなり上下左右に位置ずれなく固定できる。ストロボ本体１とカメラ筐体５とを取り外す場合は前記の動作と逆にしてネジ２を矢視Bの反対方向に回転すれば簡単に外すことができる。
【図面の簡単な説明】
【００１０】
【図１】この考案に係わるストロボ本体とカメラ筐体との組み合わせ斜視図。（実施形態１）
【図２】図１のストロボ本体とカメラ本体とを組み合わせ、背部から観た図。
【符号の説明】
【００１１】
１  ストロボ本体
２  ネジ
３  平板ナット
４  突起
５  カメラ筐体
６  カメラ側ネジ
７  凹部
【図１】
0003113214.tif 000003
【図２】
0003113214.tif 000004
(57)【要約】【課題】  移動時には補助走行輪を使った三輪走行となるので、操作ハンドル部を握る手に重みが掛からず、ただ押すことだけで走行に集中できて機動性が大幅に良くなり、被災地での救出・救助活動を容易にし，活動の推進が図れる走行輪付き災害救助工具セットを得る。【解決手段】  左右二個の走行輪２により移動可能な手押し台車１と、この手押し台車１上に搭載される工具収納箱５とを備えたものにおいて、手押し台車１の手押し時引き倒し側後面に支持アーム８により補助走行輪７を軸架して三輪走行するようにすると共に、支持アーム８を手押し台車１の後面から離れる走行位置と後面に張り付く格納位置との間で切換自在な構造としてなる。【選択図】    図１
0003113238.tif 000002
【実用新案登録請求の範囲】
【請求項１】
左右二個の走行輪により移動可能な手押し台車と、この手押し台車上に搭載される工具収納箱とを備えたものにおいて、
前記手押し台車の手押し時引き倒し側後面に支持アームにより補助走行輪を軸架して三輪走行するようにすると共に、前記支持アームを前記手押し台車の後面から離れる走行位置と後面に張り付く格納位置との間で切換自在な構造としたことを特徴とする走行輪付き災害救助工具セット。
【考案の詳細な説明】
【技術分野】
【０００１】
本考案は、バラシバール，パイプ柄丸ショベル，ハンマーツルハシ，油圧ジャッキ，荷締機（中型），ボルトクリッパー，万能斧，標識ロープ，木（鉄）工鋸，四つ折り担架等の災害救助工具をセットにして収納する工具収納箱を有し、この工具収納箱を左右二個の走行輪により移動可能な手押し台車上に搭載してなる走行輪付き災害救助工具セットに関するものである。
【背景技術】
【０００２】
従来のこの種の走行輪付き災害救助工具セットを図３により説明する。図３は移動時の状態を示す側面図である。
【０００３】
図において、１は左右二個の走行輪２により移動可能な手押し台車、３は手押し台車１の操作ハンドル部、４は手押し台車１の起立用脚部、５は手押し台車１上に搭載した工具収納箱で、前面扉（図示せず）から災害救助工具（バラシバール，パイプ柄丸ショベル等）の出し入れが可能な構造になっている。
【０００４】
本走行輪付き災害救助工具セットの移動は、図３に示すように操作ハンドル部３を握って全体を少し手前に引き倒したままの状態で、矢印６の方向に押し進めてゆく。
そして、手押し台車１を起こして真っ直ぐに立てれば、起立用脚部４によりしっかりと固定された状態で立つので、この固定（立置）状態で工具収納箱の前面扉から災害救助工具を出し入れすれば良いし、このままの状態で本走行輪付き災害救助工具セットを格納することも可能であり、同時に災害救助工具の収納（保管）も合わせて行える。
【考案の開示】
【考案が解決しようとする課題】
【０００５】
解決しようとする問題点は、この種の災害救助工具をセットにしたときの重量が６０〜７０ｋｇになることにより操作ハンドル部３を握る手に大きな重みが掛かり、この重みを支えながら押して走行するために押しにくく走行しにくく大変な移動（重労働）となるので、被災者の救出・救助活動に必要な機動性が得られず、かかる機動性の悪さが被災地での救出・救助活動にストップを掛けてしまうという点である。
【課題を解決するための手段】
【０００６】
本考案は、左右二個の走行輪により移動可能な手押し台車と、この手押し台車上に搭載される工具収納箱とを備えたものにおいて、前記手押し台車の手押し時引き倒し側後面に支持アームにより補助走行輪を軸架して三輪走行するようにすると共に、前記支持アームを前記手押し台車の後面から離れる走行位置と後面に張り付く格納位置との間で切換自在な構造としたことを特徴とする。
【考案の効果】
【０００７】
本考案は、移動時には補助走行輪を使った三輪走行となるので、操作ハンドル部を握る手に重みが掛からず、ただ押すことだけで走行に集中できて機動性が大幅に良くなり、被災地での救出・救助活動を容易にし，活動の推進が図れるという効果がある。
【考案を実施するための最良の形態】
【０００８】
補助走行輪を使った三輪走行とすることにより、実現した。
【実施例】
【０００９】
本考案の一実施例を図１、図２について説明する。図１は移動時の状態を示す側面図、図２は立置時の状態を示す側図図で、図中前記した従来のものと同一又は相当部分には同一符号を付して説明を省略する。
【００１０】
図において、７は手押し台車１の後面に支持アーム８により軸架した補助走行輪、９は支持アーム８の位置切換用バーで、図１のように突出した状態で支持アーム８を後面から離れる走行位置に固定し、図２のように折り畳んだ状態で支持アーム８を後面に張り付かせる格納位置に固定するようになっている。なお、支持アーム８は軸１０により上端部を回動支持されるが、この支持アーム８の位置切換用バー９による固定手段については公知のいかなる構成でもよいのでその説明を省略する。
【００１１】
図２に示す本走行輪付き災害救助工具セットの起立（立置）状態では、起立用脚部４によりしっかりと固定された状態で立つことは勿論、補助走行輪７は支持アーム８の折り畳みによって手押し台車１の後面に張り付いているので邪魔にならない。よって、この立置状態で工具収納箱５の前面扉から災害救助工具を出し入れすれば良いし、このままの状態で本走行輪付き災害救助工具セットを格納でき、同時に災害救助工具の収納（保管）も合わせてできる。
【００１２】
そして、移動時には支持アーム８を開いて位置切換用バー９により固定した後、手押し台車１を後方に少し引き倒すと、図１に示すように三輪走行の状態となるので、このままで三輪走行すればよい。勿論、三輪走行であるから、操作ハンドル部３を握る手に重みが掛からず、ただ押すことだけで走行に集中できて移動できる。
【産業上の利用可能性】
【００１３】
本考案は、災害救助工具をセットにして収納する工具収納箱を有し、この工具収納箱を左右二個の走行輪により移動可能な手押し台車上に搭載してなる走行輪付き災害救助工具セットに広く活用できる。
【図面の簡単な説明】
【００１４】
【図１】この考案の一実施例を示す移動状態時の側面図である。
【図２】立置時の状態を示す側面図である。
【図３】従来のものの移動時の状態を示す側面図である。
【符号の説明】
【００１５】
１：手押し台車
２：走行輪
３：操作ハンドル部
４：起立用脚部
５：工具収納箱
７：補助走行輪
８：支持アーム
９：位置切換用バー
【図１】
0003113238.tif 000003
【図２】
0003113238.tif 000004
【図３】
0003113238.tif 000005
(57)【要約】【課題】  耐圧性を高めた空気ボンベの提供。【解決手段】  筒体と筒蓋の結合に嵌合式設計が採用され、嵌合部分に形成されるスリットを、ソルダー材料等で密封固定し、スリット部分に立体式結合面を形成し、ボンベ構造を強化し、これにより耐圧性を高めた。【選択図】        図３
0003113288.tif 000002
【実用新案登録請求の範囲】
【請求項１】
筒蓋と筒体で構成され、該筒体と筒蓋が固着材で密封固着された空気ボンベにおいて、  筒蓋の開放端に接続部が設けられ、
筒体の筒蓋に対向する端部に嵌合部が形成され、筒体と嵌合部の接続部分に圧接部が形成され、固着材が接続部及び圧接部間のスリットを密封し、立体式結合面を形成したことを特徴とする、空気ボンベ。
【請求項２】
請求項１記載の空気ボンベにおいて、筒体の嵌合部外径が筒蓋の接続部の内径より小さく、これにより筒蓋が筒体の嵌合部外周に嵌合されることを特徴とする、空気ボンベ。
【請求項３】
請求項１記載の空気ボンベにおいて、筒体の嵌合部内径が筒蓋外径より大きく、筒蓋が筒体の嵌合部内周に嵌合されることを特徴とする、空気ボンベ。
【請求項４】
請求項１記載の空気ボンベにおいて、筒体と筒蓋の接続構造が相互に対応するよう設立されたことを特徴とする、空気ボンベ。
【考案の詳細な説明】
【技術分野】
【０００１】
本考案は一種の空気ボンベの構造に係り、特に、筒体と筒蓋の接合方式を改良し、先ず嵌合してから密封し、これにより耐圧性を高める目的を達成した空気ボンベの構造に関する。
【背景技術】
【０００２】
現在よく目にする空気ボンベは、図４、５に示されるように、筒体１０と筒蓋２０を具え、中空円柱型の筒体１０の両端にそれぞれ筒蓋２０が固着され、並びにソルダー材料３０で密封され、筒体１０と筒蓋２０の表面結合部分に水平式結合面Ｂが形成されている。
【０００３】
上述の周知の構造は、以下のような欠点を有している。
１．耐圧性不良：  筒体１０と筒蓋２０の結合部分は水平式結合面Ａとされ、ソルダー材料３０の噛み合い力が十分に強くなく、保存された空気に対する耐圧性が低くなる。
２．事故が発生しやすい：  筒体１０と筒蓋２０の固着強度が不足し、内部の空気が温度変化により圧力変化を発生し、内圧が過高となった状況で、筒蓋２０が高速離脱する状況を発生する恐れがあり、このため事故を引き起こす可能性が増す。
【考案の開示】
【考案が解決しようとする課題】
【０００４】
本考案者は上述の従来の空気ボンベの欠点を鑑み、筒体と筒蓋の固着強度を増すため、本考案の空気ボンベの構造を提供するものである。
【０００５】
本考案は一種の空気ボンベを提供し、それは、筒体と筒蓋を先に嵌合する方式で組合せ、さらに固着材で密封、接合し、これによりその耐圧性を増したものとする。
【課題を解決するための手段】
【０００６】
請求項１の考案は、筒蓋と筒体で構成され、該筒体と筒蓋が固着材で密封固着された空気ボンベにおいて、
筒蓋の開放端に接続部が設けられ、
筒体の筒蓋に対向する端部に嵌合部が形成され、筒体と嵌合部の接続部分に圧接部が形成され、固着材が接続部及び圧接部間のスリットを密封し、立体式結合面を形成したことを特徴とする、空気ボンベとしている。
請求項２の考案は、請求項１記載の空気ボンベにおいて、筒体の嵌合部外径が筒蓋の接続部の内径より小さく、これにより筒蓋が筒体の嵌合部外周に嵌合されることを特徴とする、空気ボンベとしている。
請求項３の考案は、請求項１記載の空気ボンベにおいて、筒体の嵌合部内径が筒蓋外径より大きく、筒蓋が筒体の嵌合部内周に嵌合されることを特徴とする、空気ボンベとしている。
請求項４の考案は、請求項１記載の空気ボンベにおいて、筒体と筒蓋の接続構造が相互に対応するよう設立されたことを特徴とする、空気ボンベとしている。
【考案の効果】
【０００７】
本考案の空気ボンベは、筒体と筒蓋の接合方式を改良し、先ず嵌合してから密封し、これにより耐圧性を高める目的を達成している。
【考案を実施するための最良の形態】
【０００８】
図１、２、３に示されるように、本考案と周知の構造はいずれも中空式円柱型の筒体１０とそれに結合される筒蓋２０を包含し、並びに固着材４０で両者が密封結合されている。
【０００９】
本考案の特徴は以下のとおりである。
【００１０】
筒体１０の筒蓋２０に対向する端部が内縮させられ、筒体１０の筒蓋２０に嵌合する部分に嵌合部１１が形成され、並びにその外径は筒蓋２０の内径よりやや小さく、筒体１０と嵌合部１１の異なる円径の接続部分に圧接部１２が形成され、別に筒蓋２０の開放端に接続部２１が設けられ、並びに筒蓋２０の接続部２１が嵌合部１１外周に嵌合されて圧接部１２に当接し、嵌合形態が形成され、内部圧力が高くなる時、嵌合部１１と接続部２１が更に密接に接合し、第１レベルの接合力を提供する。
【００１１】
更に圧接部１２と接続部２１の間のスリット部分が、固着材４０で囲まれ並びにスリット部分に充填されて密封固定され、立体式結合面Ａが形成され、更に強力な結合力を提供し、並びに第２レベルの接合力を提供する。第１レベルの嵌合方式及び第２レベルの立体式結合面Ａの固着方式により、大幅に筒体１０と筒蓋２０の結合力が増され、これにより内部の空気圧力を増すことができる。
【００１２】
また、筒蓋２０の嵌合部１１は円径が筒蓋２０の接続部２１の外径よりやや大きく形成可能であり、これにより筒蓋２０が筒体１０の嵌合部１１内に嵌合し、更に固着材４０で囲んでスリット部分を充填して密封固定することによっても、結合力を強化する目的を達成できる。
【００１３】
本考案は以下の効果を達成している。
１．耐圧度が良好である：  筒体１０と筒蓋２０が嵌合方式で接合され、並びに固着材４０で嵌合部１１、圧接部１２、接続部２１が接合されて立体式結合面Ａが形成され、密封され、これにより内部の空気の温度変化による圧力変化により内圧が過高なる状況にあって、却って筒体１０の嵌合部１１が更に筒蓋２０の接続部２１に接近し、これにより大幅に内圧空気に対する耐圧度が増される。
２．実用安全性が高い：  筒体１０と筒蓋２０の固着度が大幅に向上され、ゆえに筒蓋２０が高速で筒体１０より離脱して事故を発生する可能性が減る。
【図面の簡単な説明】
【００１４】
【図１】本考案の立体外観図である。
【図２】本考案の分解図である。
【図３】本考案の断面図である。
【図４】周知の技術の外観図である。
【図５】周知の技術の断面図である。
【符号の説明】
【００１５】
１０  筒体
１１  嵌合部
１２  圧接部
２０  筒蓋
２１  接続部
３０  ソルダー材
４０  固着材
【図１】
0003113288.tif 000003
【図２】
0003113288.tif 000004
【図３】
0003113288.tif 000005
【図４】
0003113288.tif 000006
【図５】
0003113288.tif 000007
(57)【要約】【課題】  音声信号を入力・出力できると共に、コンピュータ付属アクセサリを接続でき、音声信号の入力・出力機器やコンピュータ付属アクセサリをコンピュータに接続する必要のないキーボードの提供。【解決手段】  キーボード本体１の内部に、音声信号の入力・出力機器であるスピーカ１４、ヘッドセット３、マイクロフォン２等を接続可能な増幅回路を設け、キーボード本体１の表面に、コンピュータ接続用コネクタ１５，１７及びコンピュータ付属アクセサリ用コネクタ１６を設ける。スピーカ１４は、キーボード本体１内の適宜位置に設置しても良い。【選択図】  図３
0003113284.tif 000002
【実用新案登録請求の範囲】
【請求項１】
キーボード本体の内部に、音声信号の入力・出力機器を接続可能な増幅回路を設け、前記キーボード本体の表面に、コンピュータ接続用コネクタ及びコンピュータ付属アクセサリ用コネクタを設けたことを特徴とするキーボード。
【請求項２】
前記キーボード本体内の適宜個所に、音声信号の出力機器であるスピーカを設置した請求項１に記載のキーボード。
【考案の詳細な説明】
【技術分野】
【０００１】
本考案は、コンピュータに接続するキーボードに関する。
【背景技術】
【０００２】
通常、コンピュータに接続するキーボードは、データや文字を入力するだけで、他の機能を備えていなかった。
近年、コンピュータネットワークの普及により、コンピュータネットワークを通じて音楽を聴いたり、会話することが多くなっている。
しかし、音声信号を送信したり出力するためには、マイクロフォンやヘッドセット或いはスピーカを、コンピュータに接続しなければならない。また、ファン、スネークライト、ＣＣＤ等のコンピュータ付属アクセサリをコンピュータに接続することも多い。
しかし、コンピュータの接続ポートは作業しやすい位置に設けられているとは限らず、コンピュータにはプリンタ、キーボード、モニタのような周辺機器がコードを介して接続されているので、音声信号の入力・出力用の機器、アクセサリ類の取付や取り外しが面倒であるばかりか、長いコードが絡まったり、乱雑に配置されて体裁が悪い。
【考案の開示】
【考案が解決しようとする課題】
【０００３】
本考案は、音声信号を入力し出力できると共に、コンピュータ付属アクセサリを接続でき、音声信号の入力・出力機器及びコンピュータ付属アクセサリをコンピュータに接続する必要のないキーボードの提供を目的とする。
【課題を解決するための手段】
【０００４】
本考案のキーボードは、キーボード本体の内部に、音声信号の入力・出力機器を接続可能な増幅回路を設け、前記キーボード本体の表面に、コンピュータ接続用コネクタ及びコンピュータ付属アクセサリ用コネクタを設けてある。
前記キーボード本体内の適宜個所に、音声信号の出力機器であるスピーカを設置しても良い。
コンピュータ接続用コネクタとしては、ＵＳＢコネクタ、ＩＥＥＥ１３９４コネクタ等があり、コンピュータ付属アクセサリとしては、スネークライト、ファン、ＣＣＤ等がある。また、音声信号の入力・出力機器としては、スピーカ以外に、ヘッドセット、イヤフォン、マイクロフォン等がある。
【考案の効果】
【０００５】
請求項１に係る考案によれば、音声信号の入力・出力に必要な機器類及びコンピュータ付属アクセサリを、操作しやすい手元に設置したキーボードに接続することが可能なので、これら機器やアクセサリの取付・取り外しが容易で、操作しやすく、長いコード類が絡まったり乱雑に配置されるのを防ぐことができる。
請求項２に係る考案によれば、スピーカを接続する手間を省くことができる。
【考案を実施するための最良の形態】
【０００６】
以下、本考案の実施例を図面に基づいて詳細に説明する。
本考案のキーボードは、図１及び図２に示すように、キーボード本体１と、キーボード本体１の内部に設置された増幅回路１１及びスピーカ１４とを備える。
キーボード本体１のコンピュータに対する入力機能及びこれに付随する部材は、従来のものとほぼ同様である。
また、キーボード本体１の表面上部には、ＵＳＢコネクタ１５、ＩＥＥＥ１３９４コネクタ１７等のコンピュータ接続用コネクタと、複数のコンピュータ付属アクセサリ用コネクタ１６が設けてある（図１）。
【０００７】
図２に示すように、増幅回路１１にはマイクロフォンコネクタ１２及びヘッドセットコネクタ１３が接続される。マイクロフォンコネクタ１２及びヘッドセットコネクタ１３は、キーボード本体１の表面上部に露出している。
また、増幅回路１１には、複数のスピーカ１４が接続されている。スピーカ１４は、キーボード本体１内の上部両側、下部中央またはその他の適宜位置に設置されている。
【０００８】
従って、キーボード本体１をコンピュータに接続すると、コンピュータを通じて送られた音声信号を、キーボード本体１の内部に設置されたスピーカ１４から出力でき、スピーカ１４を接続する手間が省ける。
また、図３に示すように、キーボード本体１に設けられたマイクロフォンコネクタ１２にマイクロフォン２を接続すると共に、ヘッドセットコネクタ１３にヘッドセット３を接続し、コンピュータを介して会話を行うことができる。なお、会話に際して、ヘッドセット３を用いずに、スピーカ１４によって音声を出力することも可能である。
【０００９】
さらに、キーボード本体１の表面に設けたコンピュータ付属アクセサリ用コネクタ１６には、スネークライト４、ファン５、ＣＣＤ等のコンピュータ付属アクセサリを接続することができる。
このため、コンピュータ付属アクセサリをコンピュータに接続する必要が無く、コードが乱雑になりにくい。
【図面の簡単な説明】
【００１０】
【図１】本考案の実施例を示すキーボードの斜視図。
【図２】本考案の実施例を示すキーボードの内部斜視図。
【図３】本考案の実施例を示すキーボードの使用時における斜視図。
【符号の説明】
【００１１】
１  キーボード本体
２  マイクロフォン
３  ヘッドセット
４  スネークライト
５  ファン
１１  増幅回路
１２  マイクロフォンコネクタ
１３  ヘッドセットコネクタ
１４  スピーカ
１５  ＵＳＢコネクタ
１６  コンピュータ付属アクセサリ用コネクタ
１７  ＩＥＥＥ１３９４コネクタ
【図１】
0003113284.tif 000003
【図２】
0003113284.tif 000004
【図３】
0003113284.tif 000005